【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
データストレージシステムにおいて、信頼性数値をデータの複数の論理コンテナの各々に割り振るステップと、
前記データの複数の論理コンテナの各々に対して、データを格納するための複数の物理的ストレージ装置のブロックを割り当てるステップであって、複数の物理的ストレージ装置の当該ブロックは複数の物理的ストレージ装置の複数のパリティグループにおける特定のパリティグループから選択され、複数の物理的ストレージ装置の所与のブロックに対する前記特定のパリティグループは、複数の物理的ストレージ装置の前記所与のブロックに対応するデータの論理コンテナと関連付けられた前記信頼性数値に従って選択される、ステップと、
複数のパリティグループ信頼性数値のうちの特定の１つを、前記複数のパリティグループの各々に割り振るステップであって、所与のパリティグループに割り振られる特定のパリティグループ信頼性数値は、前記所与のパリティグループにおける複数の物理的ストレージ装置の１つ又は複数のブロックと関連付けられた、対応する信頼性数値に基づく、ステップと、
を備える方法。
【請求項２】
前記信頼性数値を、前記データストレージシステムと関連付けられたサービスレベル目標（ＳＬＯ）に基づいて、前記データの複数の論理コンテナの各々に割り振るステップをさらに備える請求項１記載の方法。
【請求項３】
前記データの複数の論理コンテナに含まれるデータの論理コンテナに対して、前記データの論理コンテナと関連付けられたデータの種類に基づいて、特定の信頼性数値を、前記データの論理コンテナに割り振るステップをさらに備える請求項１記載の方法。
【請求項４】
前記データの複数の論理コンテナに含まれるデータの論理コンテナに対して、前記データストレージシステムの管理インタフェースを介してユーザにより提供される入力に基づいて、特定の信頼性数値を、前記データの論理コンテナに割り振るステップをさらに備える請求項１記載の方法。
【請求項５】
データの論理コンテナと関連付けられた前記信頼性数値を、前記データの論理コンテナと関連付けられたメタデータコンテナに格納するステップをさらに備える請求項１記載の方法。
【請求項６】
前記データストレージシステムにおいて、前記データストレージシステムの複数の物理的ストレージ装置の前記複数のブロックに対応する前記複数の物理的ストレージ装置のうちの少なくとも１つに対して操作を遂行する要求を受信するステップと、
優先順位がつけられた順序に従って前記少なくとも１つの物理的ストレージ装置の各々に対して前記操作を遂行するステップであって、前記優先順位がつけられた順序は前記少なくとも１つの物理的ストレージ装置に対応する前記複数のパリティグループに割り振られた前記複数のパリティグループ信頼性数値に基づいて決定される、ステップと、
をさらに備える請求項１記載の方法。
【請求項７】
前記操作は、前記少なくとも１つの物理的ストレージ装置に関連する一貫性検査である請求項６記載の方法。
【請求項８】
前記操作は、前記少なくとも１つの物理的ストレージ装置の障害後再構築である請求項６記載の方法。
【請求項９】
各パリティグループの前記割り振られるパリティグループ信頼性数値を、前記パリティグループと関連付けられたメタデータに付加するステップをさらに備える請求項１記載の方法。
【請求項１０】
データを格納するための複数の物理的ストレージ装置を有するデータストレージシステムにおいて、複数の信頼性数値うちの１つを複数の物理的ストレージ装置の複数のパリティグループの各々に割り振るステップであって、所与のパリティグループに割り振られる特定の信頼性数値は、前記所与のパリティグループに含まれる複数の物理的ストレージ装置の１つ又は複数のブロックと関連付けられた、対応する信頼性数値に基づく、ステップと、
前記データストレージシステムにおいて、前記データストレージシステムの前記複数の物理的ストレージ装置のうちの少なくとも１つに対して操作を遂行する要求を受信するステップと、
前記少なくとも１つの物理的ストレージ装置と関連付けられた前記複数のパリティグループに割り振られた前記複数の信頼性数値に基づいて決定される優先順位がつけられた順序に従って、前記少なくとも１つの物理的ストレージ装置の各々に対して前記操作を遂行するステップと、
を備える方法。
【請求項１１】
前記操作は、最も高い信頼性数値を有するパリティグループに属する１つ又は複数の物理的ストレージ装置に対してまず遂行される、
請求項１０記載の方法。
【請求項１２】
複数の物理的ストレージ装置の前記１つ又は複数のブロックの各々は、データの特定の論理コンテナと関係し、
複数の物理的ストレージ装置の前記１つ又は複数のブロックの各々と関連付けられた前記信頼性数値は、データの対応する論理コンテナと関連付けられた論理コンテナ信頼性数値に基づく、
請求項１０記載の方法。
【請求項１３】
前記データストレージシステムと関連付けられたサービスレベル目標（ＳＬＯ）に基づいて、特定の論理コンテナ信頼性数値をデータの各論理コンテナに割り振るステップをさらに備える請求項１２記載の方法。
【請求項１４】
前記データの所与の論理コンテナと関連付けられたデータの種類に基づいて、特定の論理コンテナ信頼性数値を、データの所与の論理コンテナに割り振るステップをさらに備える請求項１２記載の方法。
【請求項１５】
前記データストレージシステムの管理コンソールを介してユーザにより提供される入力に基づいて、特定の論理コンテナ信頼性数値を、データの所与の論理コンテナに割り振るステップをさらに備える請求項１２記載の方法。
【請求項１６】
前記操作は、前記少なくとも１つの物理的ストレージ装置に関する一貫性検査である請求項１０記載の方法。
【請求項１７】
前記操作は、前記少なくとも１つの物理的ストレージ装置の障害後再構築である請求項１０記載の方法。
【請求項１８】
ネットワークを介して複数のネットワークストレージクライアントが通信する場合に当該通信が経由するネットワークアダプタと、
不揮発性大容量ストレージサブシステムにアクセスする場合に当該アクセスが経由するストレージアダプタと、
前記ネットワークアダプタ及び前記ストレージアダプタと結合されるプロセッサと、を備え、
前記プロセッサは、
信頼性数値をデータの複数の論理コンテナの各々に割り振るとともに、
前記データの複数の論理コンテナの各々に対して、データを格納するための複数の物理的ストレージ装置のブロックを割り当て、
複数のパリティグループ信頼性数値のうちの特定の１つを前記複数のパリティグループの各々に割り振るように構成され、
複数の物理的ストレージ装置の前記ブロックは、複数の物理的ストレージの複数のパリティグループにおける特定のパリティグループから選択され、複数の物理的ストレージ装置の所与のブロックに対する前記特定のパリティグループは、複数の物理的ストレージ装置の前記所与のブロックに対応するデータの論理コンテナと関連付けられた前記信頼性数値に従って選択され、
所与のパリティグループに割り振られる特定のパリティグループ信頼性数値は、前記所与のパリティグループに含まれる複数の物理的ストレージ装置の１つ又は複数のブロックと関連付けられた、対応する信頼性数値に基づく、
るネットワークストレージサーバ。
【請求項１９】
前記信頼性数値は、前記不揮発性大容量ストレージサブシステムと関連付けられたサービスレベル目標（ＳＬＯ）に基づいて、前記データの複数の論理コンテナの各々に割り振られる請求項１８記載のネットワークストレージサーバ。
【請求項２０】
特定の信頼性数値は、前記データの所与の論理コンテナと関連付けられたデータの種類に基づいて、データの所与の論理コンテナに割り振られる請求項１８記載のネットワークストレージサーバ。
【請求項２１】
特定の信頼性数値は、前記ネットワークストレージサーバの管理コンソールを介してユーザにより提供される入力に基づいて、データの所与の論理コンテナに割り振られる請求項１８記載のネットワークストレージサーバ。
【請求項２２】
データの所与の論理コンテナと関連付けられた前記信頼性数値は、前記データの所与の論理コンテナと関連付けられたメタデータコンテナに格納される請求項１８記載のネットワークストレージサーバ。
【請求項２３】
前記プロセッサは、さらに、
前記ネットワークストレージサーバの複数の物理的ストレージ装置の前記複数のブロックに対応する複数の物理的ストレージ装置のうちの少なくとも１つに対する操作を遂行する要求を受信し、
優先順位がつけられた順序に従って、前記少なくとも１つの物理的ストレージ装置の各々に対して前記操作を遂行し、前記優先順位がつけられた順序は、前記少なくとも１つの物理的ストレージ装置に対応する前記複数のパリティグループに割り振られる前記複数のパリティグループ信頼性数値に基づいて決定されるように構成された請求項１８記載のネットワークストレージサーバ。
【請求項２４】
前記操作は、
前記少なくとも１つの物理的ストレージ装置の障害後再構築、または、
前記少なくとも１つの物理的ストレージ装置に関連する一貫性検査のうちの１つである請求項２３記載のネットワークストレージサーバ。